(57)【特許請求の範囲】
【請求項１】
所定周波数の基準信号を発振する水晶発振回路と、
テレビジョン受信機に映像を表示させるための内部水平同期信号を前記基準信号に基づいて出力する内部水平同期信号生成回路と、
装置外部から入力された外部水平同期信号と前記内部水平同期信号との位相差を検出して、検出した当該位相差に基づいて当該内部水平同期信号の位相を制御することにより、当該内部水平同期信号が当該外部水平同期信号と位相が同期するように前記内部水平同期信号生成回路を制御する位相差検出回路とを備え、
前記内部水平同期信号生成回路は、前記基準信号をカウントし当該カウント値が前記基準信号の１周期で１水平走査時間を除算した値とほぼ等しい基準値に達したときに前記内部水平同期信号を生成するカウンタを備え、
前記位相差検出回路は、
前記基準信号が入力され、
前記外部水平同期信号の本来の周期に対して所定の許容幅の範囲内で入力される信号の立下りエッジを前記外部水平同期信号の立下りエッジであると推定し、
前記外部水平同期信号の立下りエッジと前記内部水平同期信号との前記位相差に対応する期間内の前記基準信号をカウントすることにより当該位相差を検出し、
前記基準信号をカウントした値未満の数で前記カウンタの前記基準値を増減する
ことを特徴とするテレビジョン受信機用同期信号生成回路。
【請求項２】
前記位相差検出回路は、前記検出した位相差に対応する時間を前記水平方向駆動用基準信号の１周期で除算した値未満の数で補正することを特徴とする請求項１に記載のテレビジョン受信機用同期信号生成回路。
【請求項３】
請求項１または２に記載のテレビジョン受信機用同期信号生成回路を備えていることを特徴とするテレビジョン受信機。
【発明の詳細な説明】
【０００１】
【発明の属する技術分野】
本発明は、テレビジョン受信機におけるＣＲＴや液晶表示器などの表示装置に映像を表示させるための内部同期信号を生成するテレビジョン受信機用同期信号生成回路、およびこれを備えたテレビジョン受信機に関するものである。
【０００２】
【従来の技術】
図９は、映像を表示するための内部水平同期信号を生成する水平同期信号生成回路を有する液晶テレビジョン受信機の一部の構成を示している。同図に示すテレビジョン受信機５１は、チューナ２、テレビリニア回路３、音声出力回路４、スピーカ５、クロマ回路６、垂直同期信号分離回路８およびＰＬＬ回路５２を備えている。
【０００３】
このテレビジョン受信機５１では、チューナ２が、アンテナ１６を介して受信した電波を、選択されたチャンネルに対応する局部発振周波数とミキシングして復調することにより中間周波信号に変換する。次いで、テレビリニア回路３が、チューナ２からの中間周波信号を増幅した後に映像検波することによって生成したコンポジット信号ＣＳＹＮＣを垂直同期信号分離回路８およびＰＬＬ回路５２に出力すると共に、映像検波出力を音声出力回路４およびクロマ回路６に出力する。次いで、音声出力回路４が、テレビリニア回路３から出力される映像検波出力から音声信号を取り出して増幅した後、スピーカ５から出力する。一方、クロマ回路６は、ＴＶリニア回路３から出力された映像検波出力から色差信号を再生して図外のＡ／Ｄ変換回路に出力する。これにより、色差信号は、ＰＬＬ回路５２によって生成される内部水平同期信号ＣＰＨに同期して、色信号である所定ビット数のＲ，Ｇ，Ｂのデジタルデータに変換され、変換されたディジタルデータは、例えば、ＬＣＤパネルのＹ方向の駆動用ドライバに出力される。
【０００４】
また、垂直同期信号分離回路８は、コンポジット信号ＣＳＹＮＣに含まれている垂直同期信号ＶＳＹＮＣを分離して装置内部に出力する。一方、ＰＬＬ回路５２は、コンポジット信号ＣＳＹＮＣに含まれている水平同期信号ＨＳＹＮＣに同期させて、所定周波数のシステムクロックＣＬを生成してＬＣＤパネルのＸ方向の駆動用ドライバに出力すると共に、生成したシステムクロックＣＬを分周することにより内部水平同期信号ＣＰＨを生成し、各回路に出力する。これにより、受信された映像信号は、内部水平同期信号ＣＰＨに同期し、かつ液晶パネルの水平方向の各画素に対応させられて表示される。
【０００５】
【発明が解決しようとする課題】
ところが、この従来のテレビジョン受信機５１には、以下の問題点がある。
【０００６】
すなわち、ＰＬＬ回路５２によって生成されるシステムクロックＣＬは、液晶パネルの水平方向の各画素に映像信号を表示させるための同期信号として用いられている。したがって、液晶パネルの水平方向の画素数が数百程度の場合には、ＰＬＬ回路５２の発振周波数は２０ＭＨｚ以下でもよい。一方、液晶パネルの水平方向の画素数を例えば、２０００程度にして映像信号の解像度を向上させようとした場合、ＰＬＬ回路５２の発振周波数を３０ＭＨｚ程度に上げる必要がある。この場合、ＰＬＬ回路５２によって安定して発振させることができる発振周波数は、一般的に、２０ＭＨｚ程度が限界である。したがって、ＰＬＬ回路を使用した従来のテレビジョン受信機５１には、２０ＭＨｚ以上の周波数で発振させた場合には、同期ずれなどが生じるため、高解像度の画像を表示することは困難であるという問題点がある。
【０００７】
一方、水晶発振回路は３０ＭＨｚ程度の周波数を容易に発振させることができるため、単に水晶発振回路をＰＬＬ回路５２に置換することも考えられる。ところが、水晶発振回路は、水晶の固有発振周波数で発振するため、周波数が極めて安定しているが、その発振周波数の可変幅が極めて小さいという欠点がある。一方、液晶パネルなどの表示装置に映像信号を表示させるためには、システムクロックＣＬに基づいて装置内部で生成される内部水平同期信号ＣＰＨを、装置外部から入力したコンポジット信号ＣＳＹＮＣ内に含まれている水平同期信号ＨＳＹＮＣに同期させる必要がある。この場合、水平同期信号ＨＳＹＮＣの周期は必ずしも一定ではなく、フェージングなどの種々の条件によって変動する。このため、ＰＬＬ回路５２を単に水晶発振回路に置換したとしても、水平同期信号ＨＳＹＮＣに同期させて発振する水晶発振器を設計することは極めて困難である。
【０００８】
本発明は、かかる問題点を解決すべくなされたものであり、高解像度用の表示装置に映像を表示させることが可能なテレビジョン受信機用内部同期信号生成回路、およびそのテレビジョン受信機用同期信号生成回路を用いたテレビジョン受信機を提供することを主目的とする。
【０００９】
【課題を解決するための手段】
上記目的を達成すべく本発明は、所定周波数の基準信号を発振する水晶発振回路と、テレビジョン受信機に映像を表示させるための内部水平同期信号を前記基準信号に基づいて出力する内部水平同期信号生成回路と、装置外部から入力された外部水平同期信号と前記内部水平同期信号との位相差を検出して、検出した当該位相差に基づいて当該内部水平同期信号の位相を制御することにより、当該内部水平同期信号が当該外部水平同期信号と位相が同期するように前記内部水平同期信号生成回路を制御する位相差検出回路とを備え、前記内部水平同期信号生成回路は、前記基準信号をカウントし当該カウント値が前記基準信号の１周期で１水平走査時間を除算した値とほぼ等しい基準値に達したときに前記内部水平同期信号を生成するカウンタを備え、前記位相差検出回路は、前記基準信号が入力され、前記外部水平同期信号の本来の周期に対して所定の許容幅の範囲内で入力される信号の立下りエッジを前記外部水平同期信号の立下りエッジであると推定し、前記外部水平同期信号の立下りエッジと前記内部水平同期信号との前記位相差に対応する期間内の前記基準信号をカウントすることにより当該位相差を検出し、前記基準信号をカウントした値未満の数で前記カウンタの前記基準値を増減することを特徴とする。
【００１０】
このテレビジョン受信機用同期信号生成回路では、まず、内部水平同期信号生成回路が、水晶発振回路によって生成された水平方向駆動用基準信号に基づいて内部水平同期信号を生成する。次いで、位相差検出回路が、外部水平同期信号と内部水位同期信号との位相差を検出し、両水平同期信号が同期するように内部水平同期信号生成回路を制御する。この結果、水晶発振回路を、水晶の固有周波数で安定に発振させた状態に維持しつつ、内部水平同期信号を外部水平同期信号に同期させることができる。この場合、例えば、水平方向駆動用基準信号に基づいて液晶パネルの各画素を駆動する場合において液晶パネルの水平方向の画素数を増加したときであっても、水晶発振回路が、例えば３０ＭＨｚ程度の周波数を安定して発振可能のため、水平方向の同期ずれを生じさせることがないため、画像の解像度を上げることが可能となる。
【００１４】
また、本発明は、テレビジョン受信機用同期信号生成回路は、テレビジョン受信機用同期信号生成回路において、位相差検出回路は、検出した位相差に対応する時間を水平方向駆動用基準信号の１周期で除算した値未満の数で補正することを特徴とする。
【００１５】
また、本発明のテレビジョン受信機は、前記したテレビジョン受信機用同期信号生成回路を備えていることを特徴とする。
【００１６】
【発明の実施の形態】
以下、添付図面を参照して、本発明に係るテレビジョン受信機用同期信号生成回路を液晶テレビに適用した好適な実施の形態について説明する。なお、従来のテレビジョン受信機５１と同一の構成要素については同一の符号を付している。図１は、液晶テレビ１の主要構成を示している。同図に示すように、液晶テレビ１は、チューナ２、テレビリニア回路３、音声出力回路４、スピーカ５、クロマ回路６、Ａ／Ｄ変換回路７、垂直同期信号分離回路８、同期信号生成回路９、タイミング制御回路１１、垂直同期信号生成回路１２、Ｘドライバ１３、Ｙドライバ１４およびＬＣＤパネル１５を備えている。また、タイミング制御回路１１は、カウンタ２１およびリセット回路２２を備えている。
【００１７】
次に、上記した各回路の動作を説明する。
【００１８】
チューナ２は、アンテナ１６を介して受信した電波を、選択されたチャンネルに対応する局部発振周波数とミキシングして復調することにより中間周波信号に変換する。テレビリニア回路３は、チューナ２からの中間周波信号を増幅すると共に映像検波することによって生成したコンポジット信号ＣＳＹＮＣを垂直同期信号分離回路８および同期信号生成回路９に出力する。また、テレビリニア回路３は、映像検波出力を音声出力回路４およびクロマ回路６に出力する。音声出力回路４は、テレビリニア回路３から出力される映像検波出力から音声信号を取り出して増幅した後、スピーカ５から出力する。クロマ回路６は、ＴＶリニア回路３から出力された映像検波出力から色差信号を再生し、Ａ／Ｄ変換回路７に出力する。Ａ／Ｄ変換回路７は、同期信号生成回路９によって生成される内部水平同期信号ＣＰＨに同期して、色信号である所定ビット数のＲ，Ｇ，Ｂのデジタルデータを生成し、生成したディジタルデータをＬＣＤパネル１５の水平方向のドライバであるＸドライバ１３に出力する。また、垂直同期信号分離回路８は、コンポジット信号ＣＳＹＮＣに含まれている垂直同期信号ＶＳＹＮＣを分離してタイミング制御回路１１に出力する。
【００１９】
同期信号生成回路９は、図２に示すように、水晶３１，発振回路３２、基準カウンタ３３および位相差検出回路３４を備えて構成されている。ここで、水晶３１は、例えば、３１．５ＭＨｚの固有発振周波数を有している。発振回路３２は、水晶３１の固有発振周波数で発振することによってＸドライバ１３のサンプリング周波数として用いられるシステムクロック（本発明における水平方向駆動用基準信号に相当する）ＣＬを生成すると共に、システムクロックＣＬをＸドライバ１３および位相差検出回路３４に出力する。基準カウンタ３３は、発振回路３２によって生成されたシステムクロックＣＬの数をカウントし、カウント値がシステムクロックＣＬの１周期で１水平走査時間（約６３．５６μＳ）を除算した値とほぼ等しい値である基準値に達したときに、Ａ／Ｄ変換回路７、タイミング制御回路１１およびＸドライバ１３に、位相差検出回路３４を介して内部水平同期信号ＣＰＨを出力する。つまり、基準カウンタ３３は、１周期が水平方向の１走査時間に相当する約６３．５６μＳの内部水平同期信号ＣＰＨを生成する。
【００２０】
位相差検出回路３４は、コンポジット信号ＣＳＹＮＣに含まれる水平同期信号ＨＳＹＮＣと内部水平同期信号ＣＰＨとの位相差を検出し、内部水平同期信号ＣＰＨが水平同期信号ＨＳＹＮＣに同期するように基準カウンタ３３の基準値またはカウント値を補正する。なお、基準値またはカウント値のいずれを補正したとしても同様の効果を得ることができるため、以下、基準値を補正する例について具体的に説明する。位相差検出回路３４は、図３に示すように、水平同期信号ＨＳＹＮＣの立ち下がりエッジと内部水平同期信号ＣＰＨの立ち下がりエッジとの入力タイミングを比較し、水平同期信号ＨＳＹＮＣの立ち下がりエッジの方が早い場合には、水平同期信号ＨＳＹＮＣの立ち下がりエッジと内部水平同期信号ＣＰＨの立ち下がりエッジとの位相差を検出する。この場合、位相差検出回路３４は、水平同期信号ＨＳＹＮＣの立ち下がりエッジから内部水平同期信号ＣＰＨの立ち下がりエッジまでの間に入力されるシステムクロックＣＬの数をカウントすることにより、両者の位相差をシステムクロックＣＬの数で検出する。次いで、位相差検出回路３４は、検出したシステムクロックＣＬの数に対応する補正用データＤａを基準カウンタ３３に出力する。これにより、基準カウンタ３３は、補正用データＤａに基づいて基準値を補正することにより、コンポジット信号ＣＳＹＮＣ内の水平同期信号ＨＳＹＮＣに同期した内部水平同期信号ＣＰＨを生成する。なお、位相差検出回路３４は、内部水平同期信号ＣＰＨの立ち下がりエッジの入力タイミングの方が、水平同期信号ＨＳＹＮＣの入力タイミングよりも早い場合には、内部水平同期信号ＣＰＨの立ち下がりエッジの入力時から水平同期信号ＨＳＹＮＣの立ち下がりエッジの入力時までの間に入力されるシステムクロックＣＬの数をカウントし、そのカウント値に対応する補正用データＤａを基準カウンタ３３に出力することにより、基準カウンタ３３の基準値を補正する。
【００２１】
タイミング制御回路１１のカウンタ２１は、垂直同期信号分離回路８から出力された垂直同期信号ＶＳＹＮＣの１周期における内部水平同期信号ＣＰＨの数をカウントし、カウント値を示すカウントデータＤＫをリセット回路２２および垂直同期信号生成回路１２に出力する。この場合、カウンタ２１のカウント値の初期値は、特に限定されないが、例えば値１に設定されている。リセット回路２２は、カウンタ２１のカウント値をリセットするための回路であって、カウントデータＤＫで示されるカウント値が、所定の基準数に達したときにリセット信号ＳＲをカウンタ２１に出力する。具体的には、リセット回路２２は、例えば入力されているコンポジット信号ＣＳＹＮＣに基づいて走査される水平走査線本数が２６２本（または２６３本）のときには、基準数としての値２６３（または値２６４）に達したときにリセット信号ＳＲを出力することにより、カウンタ２１をリセットする。なお、カウンタ２１は、リセット信号ＳＲによってリセットされた場合、例えば、カウント初期値が上記した値１のときには、値２からカウントを再開する。つまり、カウンタ２１は、１フィールド走査における水平走査線本数（例えば２６３本）と基準数（例えば値２６４）との差分（この例では値１となる）をカウント初期値に加算した値（この例では値２となる）を、リセット後のカウント開始値としてカウントを再開する。
【００２２】
垂直同期信号生成回路１２は、カウントデータＤＫに基づいて、垂直クロックパルスＣＰＶを生成してＹドライバ１４に出力すると共に、カウントデータＤＫが値１０のときに垂直スタートパルスＳＴＶを生成してＹドライバ１４に出力する。
【００２３】
ＬＣＤパネル１５は、複数の液晶セルをマトリクス状に配列して構成されている。このＬＣＤパネル１５では、Ｘドライバ１３が、内部水平同期信号ＣＰＨに同期して水平方向の入力映像信号を出力することにより、液晶セルの素子を水平配列方向に駆動し、かつ、Ｙドライバ１４が、垂直クロックパルスＣＰＶに同期して液晶セルを垂直方向に駆動することにより、所定の画像が表示される。
【００２４】
次に、液晶テレビ１における内部水平同期信号ＣＰＨの生成処理について、図４〜７の信号波形図および図８のフローチャートを参照して説明する。
【００２５】
位相差検出回路３４は、テレビリニア回路３からコンポジット信号ＣＳＹＮＣが出力されると、図８に示すように、コンポジット信号ＣＳＹＮＣ内の水平同期信号ＨＳＹＮＣの立ち下がりと内部水平同期信号ＣＰＨの立ち下がりとを比較する（ステップ４１）。水平同期信号ＨＳＹＮＣの立ち下がりの方が早い場合には、カウントを開始し（ステップ４２）、図４に示すように、水平同期信号ＨＳＹＮＣの立ち下がりエッジから内部水平同期信号ＣＰＨの立ち下がりエッジまでの間に入力されるシステムクロックＣＬの数Ａをカウントする。次に、位相差検出回路３４は、カウント値Ａを負のカウント値にする（ステップ４３）。一方、上記ステップ４１において内部水平同期信号ＣＰＨの立ち下がりの方が早い場合には、位相差検出回路３４は、カウントを開始し（ステップ４４）、図５に示すように、内部水平同期信号ＣＰＨの立ち下がりエッジから水平同期信号ＨＳＹＮＣの立ち下がりエッジまでの間に入力されるシステムクロックＣＬの数Ｂをカウントする。次に、位相差検出回路３４は、カウント値Ｂを正のカウント値にする（ステップ４５）。また、上記ステップ４１において、両信号の立ち下がりがほぼ同時の場合には、位相差検出回路３４は、基準カウンタ３３から出力された内部水平同期信号ＣＰＨをそのまま出力し、次に入力される水平同期信号ＨＳＹＮＣと内部水平同期信号ＣＰＨの立ち下がりを比較する。次いで、位相差検出回路３４は、上記したステップ４３，４５において求めたカウント値を基準カウンタ３３に出力することによって、基準カウンタ３３の基準値を増減する（ステップ４６）。
【００２６】
一方、図６に示すように、コンポジット信号ＣＳＹＮＣ内に水平同期信号ＨＳＹＮＣが含まれていない場合には、位相差検出回路３４は、基準カウンタ３３から出力される内部水平同期信号ＣＰＨをそのまま出力する。
【００２７】
また、図７に示すように、水平同期信号ＨＳＹＮＣの１周期内にノイズＮが複数含まれている場合には、位相差検出回路３４は、本来の周期に対して所定の許容幅（例えば、±９９％）の範囲内で入力される信号の立ち下がりエッジを水平同期信号ＨＳＹＮＣの立ち下がりエッジであると推定して、その信号の立ち下がりエッジと内部水平同期信号ＣＰＨの位相差を検出する。この場合、水平同期信号ＨＳＹＮＣであると推定した信号の立ち下がりエッジが、実際にはノイズであることもある。したがって、位相差検出回路３４は、基準カウンタ３３の基準値を段階的に補正してもよい。具体的には、位相差検出回路３４は、例えば、以下に示すように、両信号の位相差に相当するカウント値未満の数で基準カウンタ３３の基準値を増減する。
【００２８】
カウント値が−６よりも小さい場合・・・・・・・基準値を５減少させる。
【００２９】
カウント値が−６以上で−３よりも小さい場合・・基準値を２減少させる。
【００３０】
カウント値が−３以上で＋３以下の場合・・・・・カウント値で補正する。
【００３１】
カウント値が＋３を超え＋６よりも小さい場合・・基準値を２増加させる。
【００３２】
カウント値が＋６以上の場合・・・・・・・・・・基準値を５増加させる。
【００３３】
これ以降、基準カウンタ３３は、補正後の基準値に達した時に内部水平同期信号ＣＰＨを出力する。この結果、同期信号生成回路９は、弱電界などの起因して水平同期信号ＨＳＹＮＣがコンポジット信号ＣＳＹＮＣに含まれていない場合には、内部水平同期信号ＣＰＨを自ら生成することにより、Ｘドライバ１３およびＹドライバ１４によるＬＣＤパネル１５の駆動の際の同期ずれを防止することができる。また、発振回路３２の発振周波数が環境条件の変化に応じて変動した場合であっても、基準カウンタ３３の基準数またはカウント値を補正することによって、水平同期信号ＨＳＹＮＣの位相を水平同期信号ＨＳＹＮＣの位相に同期させることができる。これにより、ＬＣＤパネル１５の水平方向の画素数を２０００画素程度に増加した場合であっても、システムクロックＣＬによってＬＣＤパネル１５に表示すべき水平方向の映像信号を確実にサンプリングすることができるため、同期ずれを起こすことなく高解像度の画像を表示させることができる。また、弱電界下などにおいてコンポジット信号ＣＳＹＮＣ内に多くのノイズが含まれているような場合においては、基準カウンタ３３の基準値またはカウント値を段階的に補正することにより、位相差検出回路３４に入力された信号の立ち下がりエッジに同期させて基準カウンタ３３の基準値やカウント値を直ちに補正する場合と比較して、内部水平同期信号ＣＰＨを水平同期信号ＨＳＹＮＣに徐々に同期させることが可能となる。この結果、映像の水平方向の位置ずれを徐々に補正することが可能となるため、視覚の残像効果を利用した違和感のない画像を表示させることができる。
【００３４】
なお、本発明は上記した実施形態に限定されない。例えば、本実施形態では、液晶テレビ１を例に挙げて説明したが、本発明は、ＣＲＴやプラズマディスプレイなどを用いたテレビジョン受信機に適用できるのは勿論である。
【００３５】
また、本実施形態では、基準カウンタ３３の基準値を補正する例について説明したが、上記したように、基準カウンタ３３のカウント値を補正することも可能である。具体的には、水平同期信号ＨＳＹＮＣの立ち下がりエッジと内部水平同期信号ＣＰＨの立ち下がりエッジの位相差に応じたカウント値で、基準カウンタ３３によってカウント中のカウント値を増減することにより補正可能である。さらに、本実施形態では、水平同期信号ＨＳＹＮＣと内部水平同期信号ＣＰＨの立ち下がりエッジで、その位相差を比較しているが、これに限定されず、水平同期信号ＨＳＹＮＣの極性が逆極性の場合には、水平同期信号ＨＳＹＮＣの立ち上がりエッジと内部水平同期信号ＣＰＨの立ち上がりエッジとの位相差を検出することにより、水平同期信号ＨＳＹＮＣと内部水平同期信号ＣＰＨとを同期させることもできる。
【００３６】
【発明の効果】
以上のように、請求項１記載のテレビジョン受信機用同期信号生成回路によれば、位相差検出回路が、外部水平同期信号と内部水位同期信号との位相差を検出し、両水平同期信号が同期するように内部水平同期信号生成回路を制御することにより、水晶発振回路を水晶の固有周波数で安定に発振させた状態に維持しつつ、内部水平同期信号を外部水平同期信号に同期させることができるため、ＣＲＴや液晶表示器などの表示装置の水平方向の画素数を増加したとしても、水平方向の同期ずれを生じさせることなく、画像の解像度を上げることができる。
【００３７】
また、請求項２または３記載のテレビジョン受信機用同期信号生成回路によれば、カウンタが、水平方向駆動用基準信号の数をカウントしカウント値が水平方向駆動用基準信号の１周期で１水平走査時間を除算した値とほぼ等しい基準値に達したときに内部水平同期信号を生成し、位相差検出回路が、外部水平同期信号と内部水平同期信号との位相差に基づいてカウンタの基準値またはカウント値を補正することにより、簡易な構成でディジタルＰＬＬを実質的に構成することができる。
【００３８】
さらに、請求項４または５記載のテレビジョン受信機用同期信号生成回路によれば、位相差検出回路が、検出した位相差に基づいて、基準値またはカウント値を段階的に補正することにより、映像の水平方向の位置ずれを徐々に補正することが可能となるため、視覚の残像効果を利用した違和感のない画像を表示させることができる。
【００３９】
さらに、請求項６記載のテレビジョン受信機用同期信号生成回路によれば、位相差検出回路が、検出した位相差に対応する時間を水平方向駆動用基準信号の１周期で除算した値未満の数で補正することにより、カウンタの基準値またはカウントの急激な補正を避けることができるため、より違和感のない画像を表示させることができる。
【００４０】
また、請求項７記載のテレビジョン受信機によれば、高解像度のテレビジョン受信機を構成することができる。
【図面の簡単な説明】
【図１】本発明の実施の形態に係る液晶テレビの主要構成を示すブロック図である。
【図２】同期信号生成回路の内部ブロック図である。
【図３】（ａ）は水平同期信号ＨＳＹＮＣの信号波形図であり、（ｂ）は内部水平同期信号ＣＰＨの信号波形図であり、（ｃ）はシステムクロックＣＬの信号波形図である。
【図４】水平同期信号ＨＳＹＮＣの立ち下がりエッジの方が内部水平同期信号ＣＰＨの立ち下がりエッジよりも早い場合の信号波形図である。
【図５】内部水平同期信号ＣＰＨの立ち下がりエッジが水平同期信号ＨＳＹＮＣの立ち下がりエッジよりも早い場合の信号波形図である。
【図６】コンポジット信号ＣＳＹＮＣに水平同期信号ＨＳＹＮＣが含まれていない場合の信号波形図である。
【図７】水平同期信号ＨＳＹＮＣの１周期内にノイズＮが数多く含まれている場合の信号波形図である。
【図８】内部水平同期信号ＣＰＨの生成処理を示すフローチャートである。
【図９】従来のテレビジョン受信機のブロック図である。
【符号の説明】
１  液晶テレビ
９  同期信号生成回路
３２  発振回路
３３  基準カウンタ
３４  位相差検出回路
【図１】
0003814955.tif 000002
【図２】
0003814955.tif 000003
【図３】
0003814955.tif 000004
【図４】
0003814955.tif 000005
【図５】
0003814955.tif 000006
【図６】
0003814955.tif 000007
【図７】
0003814955.tif 000008
【図８】
0003814955.tif 000009
【図９】
0003814955.tif 000010